(57)【要約】【課題】システムを簡素化すると共に、管理者に対して有益な情報を提供することができる遠隔監視システムを提供する。【解決手段】遠隔監視システムとしての絶縁監視システム１１は、設備を監視する遠隔監視端末としての絶縁監視端末２１と、ネットワーク１０を介して絶縁監視端末２１に接続され、絶縁監視端末２１から作動確認信号を受信することによって当該絶縁監視端末２１の稼働状況を管理する端末管理サーバ３１とを備える。絶縁監視端末２１は、電源設備の異常を検出する検出手段２３と、検出手段２３による検出結果のうちから代表値を抽出する抽出手段と、抽出手段によって抽出された代表値を含む作動確認信号を端末管理サーバ３１に定期的に送信する作動確認信号送信手段とを有する。【選択図】図１
2009164738.tif 000002
【特許請求の範囲】
【請求項１】
設備を監視する遠隔監視端末と、
ネットワークを介して前記遠隔監視端末に接続され、前記遠隔監視端末から作動確認信号を受信することによって当該遠隔監視端末の作動を確認する端末管理サーバとを備える遠隔監視システムであって、
前記遠隔監視端末は、
設備の異常を検出する検出手段と、
前記検出手段による検出結果のうちから代表値を抽出する抽出手段と、
前記抽出手段によって抽出された前記代表値を含む前記作動確認信号を前記端末管理サーバに定期的に送信する作動確認信号送信手段とを有する、遠隔監視システム。
【請求項２】
前記端末管理サーバは、
受信した前記作動確認信号に含まれる前記代表値を順次記憶する記憶手段と、
前記記憶手段に記憶されている前記代表値を表示する表示手段とを有する、請求項１に記載の遠隔監視システム。
【請求項３】
前記記憶手段は、前記遠隔監視端末に関連付けられた管理者の情報を記憶しており、
前記端末管理サーバは、
特定の管理者に関連付けられた前記遠隔監視端末の前記代表値を前記記憶手段から選択する選択手段と、
前記選択手段によって選択された前記代表値を当該管理者に配信する配信手段とをさらに有する、請求項２に記載の遠隔監視システム。
【請求項４】
前記端末管理サーバは、前記遠隔監視端末から前記作動確認信号を所定の期間受信しなかったことを契機として、管理者に当該遠隔監視端末の異常を通報する通報手段を有する、請求項１〜３のいずれかに記載の遠隔監視システム。
【請求項５】
前記代表値は、所定の期間内における検出結果の最大値、最小値、およびそれらの検出時刻を含む、請求項１〜４のいずれかに記載の遠隔監視システム。
【請求項６】
ネットワークを介して端末管理サーバに接続され、作動確認信号を送信することによって端末管理サーバに作動していることを報告する遠隔監視端末であって、
設備の異常を検出する検出手段と、
前記検出手段による検出結果のうちから代表値を抽出する抽出手段と、
前記抽出手段によって抽出された前記代表値を含む前記作動確認信号を前記端末管理サーバに定期的に送信する作動確認信号送信手段とを有する、遠隔監視端末。
【請求項７】
設備の異常を検出する検出手段に接続されたコンピュータを、前記検出手段による検出結果のうちから代表値を抽出する抽出手段と、前記抽出手段によって抽出された前記代表値を含む前記作動確認信号を前記端末管理サーバに定期的に送信する作動確認信号送信手段として作動させる、遠隔監視端末制御プログラム。
【発明の詳細な説明】
【技術分野】
【０００１】
この発明は、遠隔監視システム、遠隔監視端末、および遠隔監視端末制御プログラムに関し、特にヘルスチェック機能を有する遠隔監視システム、遠隔監視端末、および遠隔監視端末制御プログラムに関するものである。
【背景技術】
【０００２】
従来の遠隔監視制御システムは、例えば、特開２００４−２０８２３５号公報（特許文献１）に記載されている。同公報に記載されている遠隔監視制御システムは、被監視装置と、被監視装置の運用状況等を管理するオペレーション装置とで構成される。
【０００３】
この遠隔監視制御システムでは、オペレーション装置と被監視装置との間でデータの送受信が行われる。具体的には、オペレーション装置から被監視装置に向かって定期的にヘルスチェック信号が送信され、ヘルスチェック信号の返信として被監視装置からオペレーション装置に向かって装置情報が送信される。
【特許文献１】特開２００４−２０８２３５号公報
【発明の開示】
【発明が解決しようとする課題】
【０００４】
上記公報に記載されている被監視装置は、データサイズの大きい装置情報を分割し、複数回に分けて送信すると記載されている。したがって、装置情報の一部が欠落した場合の再送処理が必要となる等、システムが複雑化するという問題がある。また、管理者は受信した情報を加工しなければならず、作業が煩雑になる。
【０００５】
そこで、この発明の目的は、ヘルスチェックを利用して運用状況の監視を行う遠隔監視装置において、システムを簡素化すると共に、管理者に対して有益な情報を提供することができる遠隔監視システム、遠隔監視端末、および遠隔監視端末制御プログラムを提供することである。
【課題を解決するための手段】
【０００６】
この発明に係る遠隔監視システムは、設備を監視する遠隔監視端末と、ネットワークを介して遠隔監視端末に接続され、遠隔監視端末から作動確認信号を受信することによって当該遠隔監視端末の作動を確認する端末管理サーバとを備える。遠隔監視端末は、設備の異常を検出する検出手段と、検出手段による検出結果のうちから代表値を抽出する抽出手段と、抽出手段によって抽出された代表値を含む作動確認信号を端末管理サーバに定期的に送信する作動確認信号送信手段とを有する。
【０００７】
これにより、設備の状態と、遠隔監視端末自体の異常とをそれぞれ把握することができる。また、ヘルスチェック信号に設備に必要な代表値のみを付加することにより、データ長を短くすることができる。その結果、再送処理を省略することができる等、遠隔監視端末のプログラムを簡素化することが可能となる。
【０００８】
なお、本明細書中「検出結果のうちから代表値を抽出する」とは、単に複数の検出結果のうちから特定の検出結果を選び出すことだけに留まらず、複数の検出結果を演算、集計する等して代表値を得ることをも含むものとする。
【０００９】
好ましくは、端末管理サーバは、受信した作動確認信号に含まれる代表値を順次記憶する記憶手段と、記憶手段に記憶されている代表値を表示する表示手段とを有する。
【００１０】
さらに好ましくは、記憶手段は遠隔監視端末に関連付けられた管理者の情報を記憶している。そして、端末管理サーバは、特定の管理者に関連付けられた遠隔監視端末の代表値を記憶手段から選択する選択手段と、選択手段によって選択された代表値を当該管理者に配信する配信手段とをさらに有する。このように、端末管理サーバに蓄積された代表値を参照できるようにすれば、管理者は、現地に赴くことなく設備の状態を適切に把握することができる。
【００１１】
好ましくは、端末管理サーバは、遠隔監視端末から作動確認信号を所定の期間受信しなかったことを契機として、管理者に当該遠隔監視端末の異常を通報する通報手段を有する。このように、遠隔監視端末の異常をリアルタイムに通報することにより、管理者は適切な措置を講じることができる。
【００１２】
一実施形態として、代表値は、所定の期間内における検出結果の最大値、最小値、およびそれらの検出時刻を含む。
【００１３】
この発明に係る遠隔監視端末は、ネットワークを介して端末管理サーバに接続され、作動確認信号を送信することによって端末管理サーバに作動していることを報告する。具体的には、設備の異常を検出する検出手段と、検出手段による検出結果のうちから代表値を抽出する抽出手段と、抽出手段によって抽出された代表値を含む作動確認信号を端末管理サーバに定期的に送信する作動確認信号送信手段とを有する。
【００１４】
この発明に係る遠隔監視端末制御プログラムは、設備の異常を検出する検出手段に接続されたコンピュータを、検出手段による検出結果のうちから代表値を抽出する抽出手段と、抽出手段によって抽出された代表値を含む作動確認信号を端末管理サーバに定期的に送信する作動確認信号送信手段として作動させる。
【発明を実施するための最良の形態】
【００１５】
図１〜図６を参照して、この発明の一実施形態に係る遠隔監視システムとしての絶縁監視システム１１を説明する。なお、図１は絶縁監視システム１１のシステム構成を示すブロック図、図２は端末情報ＤＢ（ＤａｔａＢａｓｅ）３３ａのデータ構造を示す図、図３は端末情報の表示例を示す図、図４〜図６は絶縁監視システム１１の動作を示すフロー図である。
【００１６】
まず、図１を参照して、絶縁監視システム１１は、遠隔監視端末としての絶縁監視端末２１と、絶縁監視端末２１にネットワーク１０を介して接続される端末管理サーバ３１とで構成される。絶縁監視端末２１は、端末管理サーバ３１に対して定期的に作動確認信号（「ヘルスチェック信号」という。以下同じ。）を送信する。そして、端末管理サーバ３１は、受信したヘルスチェック信号によって絶縁監視端末２１が正常に作動していることを確認する。
【００１７】
絶縁監視端末２１は、制御装置２２と、検出手段としての検出装置２３と、ネットワークＩ／Ｆ（インターフェース）２４とを備え、建物に設置されるキュービクル等（以下「電源設備」という）を監視する。なお、「キュービクル」とは、「キュービクル式高圧受電設備」の略称で、電気事業者から高圧で受電するための機器および変圧器、コンデンサ、その他の保安装置等の機器一式を一つの金属製の外箱に収めた受電設備を指す。
【００１８】
制御装置２２は、ＣＰＵ（Ｃｅｎｔｒａｌ  Ｐｒｏｃｅｓｓｉｎｇ  Ｕｎｉｔ）２２ａと、プログラム等が格納されているＲＯＭ（Ｒｅａｄ  Ｏｎｌｙ  Ｍｅｍｏｒｙ）２２ｂと、一時記憶領域としてのＲＡＭ（Ｒａｎｄｏｍ  Ａｃｃｅｓｓ  Ｍｅｍｏｒｙ）２２ｃとを含み、絶縁監視端末２１全体の制御を行う。ＣＰＵ２２ａは、単独で、またはネットワークＩ／Ｆ２４と共に抽出手段、および作動確認信号送信手段として作動する。
【００１９】
抽出手段は、検出装置２３による検出結果のうちから電源設備の管理に必要な代表値を抽出する。代表値の具体例としては、例えば、所定期間（この実施形態では２４時間）内の検出結果から最大値、最小値、およびそれらの検出時刻等が該当する。なお、これらの代表値は、ヘルスチェック信号に付加されて端末管理サーバ３１に送信される。
【００２０】
作動確認信号送信手段は、端末管理サーバ３１に対して定期的にヘルスチェック信号を送信する。なお、ヘルスチェック信号には代表値が含まれている。一方、ヘルスチェック信号を受信した端末管理サーバ３１は、送信元の絶縁監視端末２１が正常に動作していると認識する。また、ヘルスチェック信号に付加されている代表値は、端末情報ＤＢ３３ａに順次記憶される。
【００２１】
検出装置２３は、監視対象となる電源設備の異常を検出するものであって、例えば、零相変流器（ＺＣＴ）２３ａやサーミスタ測温体２３ｂを含む。具体的には、零相変流器２３ａは漏洩電流値を、サーミスタ測温体２３ｂはトランス（図示省略）の温度をそれぞれ測定する。なお、絶縁監視端末２１は複数の検出装置２３を有し、複数のチャネルを同時に監視することができる。
【００２２】
ネットワークＩ／Ｆ２４は、ネットワーク１０に接続されており、端末管理サーバ３１との間でデータの送受信を行う。なお、ネットワーク１０としては、ＦＯＭＡ（登録商標）網等の無線通信網を採用するのが望ましい。これによりネットワーク１０と絶縁監視端末２１との間の配線が不要となるので、絶縁監視端末２１を新たに設置する際の作業を簡素化することができる。
【００２３】
端末管理サーバ３１は、制御装置３２と、記憶手段としての記憶装置３３と、ネットワークＩ／Ｆ３４とを備え、ネットワーク１０に接続されて絶縁監視端末２１を制御する。なお、１台の端末管理サーバ３１で複数台の絶縁監視端末２１を制御することができる。
【００２４】
制御装置３２は、ＣＰＵ３２ａと、プログラム等が格納されているＲＯＭ３２ｂと、一時記憶領域としてのＲＡＭ３２ｃとを含み、端末管理サーバ３１全体の制御を行う。ＣＰＵ３２ａは、単独で、またはネットワークＩ／Ｆ３４と共に選択手段、配信手段、表示手段、および通報手段として作動する。
【００２５】
選択手段は、任意の選択条件に基づいて端末情報ＤＢ３３ａに記憶されている端末情報から情報を選択する。例えば、特定の管理者に関連付けられた絶縁監視端末２１の情報を選択すること等が可能である。
【００２６】
配信手段は、選択手段によって選択された端末情報を管理者に配信する。具体的には、特定の管理者に関連付けられた絶縁監視端末２１の最新の代表値を選択し、定期的に配信すること等が可能である。
【００２７】
表示手段は、端末管理サーバ３１が保持している端末情報をユーザの端末画面に表示させる（端末情報表示処理）。なお、選択手段を用いて表示させる端末情報を絞り込むことが可能である。表示例を図３に示す。
【００２８】
通報手段は、絶縁監視端末２１の異常を検出したことを契機として、管理者に異常の発生を通報する。具体的には、ヘルスチェック信号を所定の期間受信しなかったことによって当該絶縁監視端末２１に異常が発生したと認識する。なお、管理者への連絡（配信手段、通報手段を含む）は、例えば、予め登録された管理者用ＥメールアドレスにＥメールを送信することによって行う。
【００２９】
記憶装置３３は、管理対象となる絶縁監視端末２１に関する様々な情報を記憶する端末情報ＤＢ３３ａと、端末管理サーバ３１の作業ログを記憶するログＤＢ３３ｂとを有する。端末情報ＤＢ３３ａは、絶縁監視端末２１固有の情報、および絶縁監視端末２１に関連付けられた管理者の情報を記憶すると共に、ヘルスチェック信号に付加されている代表値を順次記憶する。
【００３０】
ネットワークＩ／Ｆ３４は、ネットワーク１０に接続されており、絶縁監視端末２１およびユーザとの間でデータの送受信を行う。なお、ユーザは、ＰＣ（パーソナルコンピュータ）や携帯電話等によって端末管理サーバ３１にアクセスする。
【００３１】
次に、図２を参照して、端末情報ＤＢ３３ａに記憶される情報を説明する。端末情報ＤＢ３３ａには、レコードを識別するレコードＩＤと、絶縁監視端末２１を識別する端末ＩＤと、電源設備の監視項目（「漏電量」、「絶縁油温度」等）と、電源設備の状態（「正常」、「警報」、「警報継続」等）と、代表値（「最大値、最小値、およびそれらの検出時刻」を含む）と、当該絶縁監視端末２１の管理者を示す管理者ＩＤと、ヘルスチェック信号の受信時刻とが正規化されて記憶されている。
【００３２】
次に、図３を参照して、表示手段による端末情報の表示例を説明する。図３は、図２に示す端末情報ＤＢ３３ａから管理者ＩＤ「Ｐ００１」が管理する絶縁監視端末２１の最新の情報を選択して表示している。なお、この実施形態では、端末情報ＤＢ３３ａの各項目（「レコードＩＤ」、「管理者ＩＤ」を除く）に加えて、端末設置場所が表示されている。端末設置場所は、端末ＤＢ（図示省略）の端末ＩＤに関連付けられたレコードから取得する。
【００３３】
次に、図２〜図６を参照して、上記構成の絶縁監視システム１１の動作を説明する。
【００３４】
まず、図４は、絶縁監視端末２１のヘルスチェック信号送信処理の流れを示すフロー図である。図４に示すステップＳ１１において絶縁監視端末２１は、ヘルスチェック信号送信処理の開始時刻を監視するタイマをセットする。例えば、毎日午前０時にヘルスチェック信号を送信する場合には、２４時間のタイマを毎日午前０時にスタートさせる。
【００３５】
次に、ステップＳ１２において検出装置２３は、それぞれ電源設備を監視し、検出結果をＲＡＭ２２ｃに蓄積する。具体的には、零相変流器２３ａが漏洩電流値を、サーミスタ測温体２３ｂがトランスの温度をそれぞれ測定する。
【００３６】
また、ステップＳ１３において絶縁監視端末２１は、ステップＳ１１でセットしたタイマを監視している。なお、検出装置２３による監視は、タイマがタイムアウトするまで継続して行われる（ステップＳ１２でＮＯ）。
【００３７】
次に、タイマがタイムアウト（ステップＳ１３でＹＥＳ）した場合、ステップＳ１４において抽出手段として作動するＣＰＵ２２ａは、ＲＡＭ２２ｃに蓄積されている検出結果のうちから代表値を抽出する。この実施形態においては、２４時間の測定結果の中から最大値、最小値、およびそれらの検出時刻を抽出する。つまり、ここで抽出される代表値は、前回のヘルスチェック信号の送信後から今回のヘルスチェック信号送信前までの測定結果の代表値である。
【００３８】
次に、ステップＳ１５において作動確認信号送信手段として作動するＣＰＵ２２ａは、ステップＳ１４における代表値を含むヘルスチェック信号をネットワーク１０を介して端末管理サーバ３１に送信する。その後、ステップＳ１１に戻って処理を継続する。
【００３９】
電源設備に異常が発生したときにのみ通知を行う絶縁監視端末の場合、電源設備が正常に稼働しているのか、絶縁監視端末の異常で通知がなされないのか判断することができない。その結果、管理者が定期的に現地に赴いて確認をしなければならない。そこで、定期的にヘルスチェック信号を送信することにより、上記の作業を省略することができる。
【００４０】
また、検出結果のうちから電源設備の管理に必要な代表値を抽出してヘルスチェック信号に付加することにより、ヘルスチェック信号のデータ長を短くすることができる。これにより、ネットワークの負荷を低減することができると共に、再送処理等の複雑な処理を実装する必要がなくなる。
【００４１】
次に、図５は、端末管理サーバ３１のヘルスチェック信号監視処理の流れを示すフロー図である。図５に示すステップＳ２１において端末管理サーバ３１は、ヘルスチェック信号の受信を監視するためのタイマをセットする。ヘルスチェック信号監視処理は、図４で説明したヘルスチェック信号送信処理の完了後に行う必要があるので、例えば、２４時間のタイマを毎日午前１時にスタートさせればよい。
【００４２】
次に、端末管理サーバ３１は、ステップＳ２２においてヘルスチェック信号の受信を、ステップＳ２３においてステップＳ２１でセットしたタイマを監視している。なお、ヘルスチェック信号の監視（Ｓ２２）は、ステップＳ２１でセットしたタイマがタイムアウトするまで継続する（ステップＳ２３でＮＯ）。
【００４３】
次に、絶縁監視端末２１からヘルスチェック信号を受信（ステップＳ２２でＹＥＳ）した場合、端末管理サーバ３１は、送信元の絶縁監視端末２１が正常に稼働していると認識する。
【００４４】
また、ステップＳ２４において端末管理サーバ３１は、ヘルスチェック信号に付加されている代表値を端末情報ＤＢ３３ａに蓄積する。そして、ステップＳ２５において端末管理サーバ３１は、ステップＳ２１でセットしたタイマをキャンセルし、ステップＳ２１に戻って次回の受信予定時刻にタイマをセットし直す。
【００４５】
一方、ヘルスチェック信号を受信しないままステップＳ２１でセットしたタイマがタイムアウト（ステップＳ２３でＹＥＳ）した場合、端末管理サーバ３１は当該絶縁監視端末２１に異常が発生したと認識する。
【００４６】
このとき、ステップＳ２６において端末管理サーバ３１は、端末情報ＤＢ３３ａから当該絶縁監視端末２１に関連付けられた管理者の情報、具体的には、Ｅメールアドレス等の連絡先を取得する。そして、ステップＳ２７において端末管理サーバ３１は、ステップＳ２６で取得した連絡先に絶縁監視端末２１の異常を通報する。その後、ステップＳ２１に戻って処理を継続する。
【００４７】
絶縁監視端末２１毎の代表値を蓄積しておくことより、管理者は、最新の情報だけでなく、継続して異常が発生しているのか等、電源設備の状態を時系列で把握することができる。具体的には、端末情報表示処理を用いて、特定の絶縁監視端末２１の過去数日間の代表値を時系列で参照する等すればよい。また、絶縁監視端末２１の異常をリアルタイムに通報することにより、管理者は適切な措置を講じることが可能となる。
【００４８】
次に、図６は、端末管理サーバ３１の端末情報配信処理の流れを示すフロー図である。図６に示すステップＳ３１において端末管理サーバ３１は、端末情報配信処理を開始するためのタイマをセットする。端末情報配信処理は、ヘルスチェック信号監視処理の完了後、翌日の業務開始前に行うことが望ましいので、例えば、２４時間のタイマを毎日午前８時にスタートさせればよい。
【００４９】
次に、ステップＳ３２において端末管理サーバ３１は、ステップＳ３１でセットしたタイマを監視している。そして、タイマがタイムアウト（ステップＳ３２でＹＥＳ）した場合、ステップＳ３３において選択手段として作動するＣＰＵ３２ａは、端末情報ＤＢ３３ａから端末情報を選択する。具体的には、特定の管理者に関連付けられた絶縁監視端末２１の最新の代表値を選択する。
【００５０】
次に、ステップＳ３４において配信手段として作動するＣＰＵ３２ａは、選択した代表値を管理者に配信する。具体的には、端末情報ＤＢ３３ａに登録されている管理者のＥメールアドレスにメールを送信すればよい。
【００５１】
ここで、上記の端末情報配信処理と、端末情報表示処理（図３）とを組み合わせて、以下のような処理を行ってもよい。具体的には、ステップＳ３４において送信するＥメールには、端末情報の要約（サマリー）のみを記載する（端末情報配信処理）。例えば、「端末ＩＤ」および「状態」と、「詳細表示」のリンクのみを記載する。このＥメールを見た管理者は、担当する電源設備が正常に稼働しているか否かを知ることができる。
【００５２】
さらに詳細を知りたい場合、「詳細表示」のリンクをクリックすれば図３に示す一覧が表示される（端末情報表示処理）。また、端末ＩＤ毎に詳細表示を行えるようにしてもよい。このように、自動的に配信されるＥメールには必要最小限の情報のみを記載し、必要に応じて取得できるようにすれば、さらに利便性が高まる。
【００５３】
なお、端末管理サーバ３１が行った処理は、ログＤＢ３３ｂに記録しておくのが望ましい。これにより、トラブル発生時の原因究明が容易になる。また、表示手段を利用してログＤＢ３３ｂに記録されている内容を表示できるようにしてもよい。
【００５４】
また、上記の実施形態においては、検出装置２３として零相変流器２３ａおよびサーミスタ測温体２３ｂの例を示したが、これに限ることなく、任意の検出装置を採用することができる。
【００５５】
例えば、サーミスタ測温体２３ｂは、トランスの温度の他に電源設備内の温度測定にも利用することができる。また、パルス変換機を用いてデマンド値（ｋＷ）を測定してもよいし、高分子抵抗式センサを用いて湿度（％ＲＨ）を測定してもよいし、流量計を用いてガス流量（ｍ３）や水量（ｍ３）を測定してもよい。また、電流計による電流値（Ａ）の測定、電圧計による電圧値（Ｖ）の測定、さらにはこれらから電力量（ｋＷｈ）を算出してもよい。
【００５６】
また、上記の実施形態においては、代表値として最大値、最小値、およびそれらの検出時刻の例を示したが、これに限ることなく、検出装置２３による検出結果から得られる任意の情報を代表値としてヘルスチェック信号に付加することができる。例えば、電源設備の総電力量等を付加してもよい。
【００５７】
また、上記の実施形態においては、２４時間に１回の間隔でヘルスチェック信号を送信した例を示したが、これに限ることなく、ヘルスチェック信号は任意の間隔で送信すればよい。
【００５８】
また、上記の実施形態においては、遠隔監視システムとして絶縁監視システムの例を説明したが、これに限ることなく、この発明は、任意の設備を監視する複数の遠隔監視端末と、これらの遠隔監視端末を制御する端末管理サーバとを備えたあらゆる遠隔監視システムに適用することができる。例えば、エネルギー監視、デマンド監視、タンク残量監視、マンホールポンプ監視等の遠隔監視システムにも適用することが可能である。
【００５９】
さらに、上記の実施形態においては、絶縁監視端末２１を専用の装置とした例について説明したが、これに限ることなく、検出装置２３に汎用のコンピュータを接続し、このコンピュータに絶縁監視端末２１が行った動作を実行させるプログラムをインストールして同様の動作を行わせてもよい。この場合、プログラムは、ＣＤやＤＶＤ等の記録媒体で供給してもよいし、ネットワークからダウンロードできるようにしてもよい。
【００６０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００６１】
【図１】この発明の一実施形態に係る絶縁監視システムの構成を示すブロック図である。
【図２】端末情報ＤＢのデータ構造を示す図である。
【図３】端末情報の表示例を示す図である。
【図４】ヘルスチェック信号送信処理の流れを示すフロー図である。
【図５】ヘルスチェック信号監視処理の流れを示すフロー図である。
【図６】端末情報配信処理の流れを示すフロー図である。
【符号の説明】
【００６２】
１０  ネットワーク、１１  絶縁監視システム、２１  絶縁監視端末、２２，３２  制御装置、２２ａ，３２ａ  ＣＰＵ、２２ｂ，３２ｂ  ＲＯＭ、２２ｃ，３２ｃ  ＲＡＭ、２３  検出装置、２３ａ  零相変流器、２３ｂ  サーミスタ測温体、２４，３４  ネットワークＩ／Ｆ、３１  端末管理サーバ、３３  記憶装置、３３ａ  端末情報ＤＢ、３３ｂ  ログＤＢ。
【図１】
2009164738.tif 000003
【図２】
2009164738.tif 000004
【図３】
2009164738.tif 000005
【図４】
2009164738.tif 000006
【図５】
2009164738.tif 000007
【図６】
2009164738.tif 000008